(57)【要約】      （修正有）【課題】電線が細くても確実に検査することができる検査治具及び検査装置を提供する。【解決手段】検査治具は、各電線を配置するための配置盤２１と、配置盤２１に配置された各電線を配置盤２１との間に挟んで押える押圧板２２と、各電線に対して電気的に接続するためのコンタクト基板２３とを有している。配置盤２１には、各電線を配置するための複数の配置溝２１Ａと、各配置溝２１Ａに対応して複数の貫通孔２１Ｂが設けられている。コンタクト基板２３には、各貫通孔２１Ｂに対応して複数の接触針２３Ａが設けられている。各接触針２３Ａは、複数列に分けて配設されており、隣接する配置溝２１Ａに対応して設けられた接触針２３Ａ同士は、互いに異なる列に配置されている。【選択図】図４
0003158143.tif 000002
【実用新案登録請求の範囲】
【請求項１】
複数の電線の端部を配列してコネクタを接続する際に用いる検査治具であって、
各電線を配列して配置するための複数の配置溝が設けられると共に、この各配置溝に向かい複数の貫通孔が個別に対応して設けられた配置盤と、
この配置盤に対して相対的に接近及び離間することが可能であり、前記配置盤に配置された各電線を前記配置盤との間に挟んで押さえる押圧板と、
前記配置盤の各貫通孔を貫通して前記配置盤に配置された各電線と個別に接触可能な複数の接触針が設けられ、この各接触針が前記各電線と接触する際に、前記各接触針の先端が前記各貫通孔から突出するように前記配置盤に対して相対的に移動可能なコンタクト基板とを備え、
前記各接触針及び前記各貫通孔は、複数列に分けて前記配置溝の配列方向に配設され、隣接する前記配置溝に対応して設けられた前記接触針同士及び前記貫通孔同士は、互いに異なる列に配置された
ことを特徴とする検査治具。
【請求項２】
前記配置盤と前記コンタクト基板との間に、弾性部材を備えたことを特徴とする請求項１記載の検査治具。
【請求項３】
前記各電線の端部は配列されて固定テープにより固定されており、
前記配置盤には、前記各配置溝の長さ方向における前記固定テープの配置位置を決めるための位置決部が設けられたことを特徴とする請求項１又は請求項２記載の検査治具。
【請求項４】
請求項１から請求項３のいずれか１に記載の検査治具を備えたことを特徴とする検査装置。
【考案の詳細な説明】
【技術分野】
【０００１】
本考案は、ケーブルの断混線を検査する検査治具及び検査装置に関する。
【背景技術】
【０００２】
近年、複数の電線を結束した電線束の両端部にコネクタを接続したワイヤーハーネスなどのケーブルが各種電子機器の接続に用いられている。このようなケーブルでは、各電線が決められた順番にコネクタと接続されていないいわゆる混線の状態にあると、または、各電線に断線があると、電子機器の誤動作を招いてしまうので好ましくない。そこで、一般に、全ての製品についてこのような不具合がないかどうかが検査されている。
【０００３】
例えば、特許文献１には、絶縁電線を並列する溝と、この溝に対して垂直方向に突出した導電ピンとを有し、溝に絶縁電線を装入して絶縁電線の導体と導電ピンとを接触させ、絶縁電線の導通状態を検知するケーブルの断混線試験治具が記載されている。
【０００４】
特許文献２には、多心ケーブルを構成する各心線を配列溝に配列し、上方から押え板を相対的に移動させて心線を挟み、押え板に形成された貫通孔を貫通して接触針を相対的に移動させて心線の導体に接触させる多心ケーブルの導体コンタクト装置が記載されている。
【先行技術文献】
【特許文献】
【０００５】
【特許文献１】実開昭６３−６３６０号公報
【特許文献２】実開平２−９９３６３号公報
【考案の概要】
【考案が解決しようとする課題】
【０００６】
しかしながら、現在主に使用されている電線は、外径が０．５８ｍｍから０．６２ｍｍと接触針の太さよりも細いので、電線を密接して配設すると、接触針を電線に接触させることができないという問題があった。また、特許文献１では、溝から導電ピンが突出して配設されているので、電線の太さが細いと電線を導電ピンに接触させて配置するのが難しいという問題もあった。更に、特許文献２では、配列溝に電線を配置したのち、対向して離れた位置に設けられた押え板の貫通孔を貫通して接触針を移動させて電線に接触させるので、電線と接触針との間に位置ずれが生じやすく、電線の太さが細いと正確に接触させるのが難しい場合があるという問題があった。
【０００７】
本考案は、このような問題に基づきなされたものであり、電線が細くても確実に検査することができる検査治具及び検査装置を提供することを目的とする。
【課題を解決するための手段】
【０００８】
本考案の検査治具は、複数の電線の端部を配列してコネクタを接続する際に用いるものであって、各電線を配列して配置するための複数の配置溝が設けられると共に、この各配置溝に向かい複数の貫通孔が個別に対応して設けられた配置盤と、この配置盤に対して相対的に接近及び離間することが可能であり、配置盤に配置された各電線を配置盤との間に挟んで押さえる押圧板と、配置盤の各貫通孔を貫通して配置盤に配置された各電線と個別に接触可能な複数の接触針が設けられ、この各接触針が各電線と接触する際に、各接触針の先端が各貫通孔から突出するように配置盤に対して相対的に移動可能なコンタクト基板とを備え、各接触針及び各貫通孔は、複数列に分けて配置溝の配列方向に配設され、隣接する配置溝に対応して設けられた接触針同士及び貫通孔同士は、互いに異なる列に配置されたものである。
【０００９】
本考案の検査装置は、本考案の検査治具を備えたものである。
【００１０】
この検査治具及び検査装置では、配置盤の配置溝に電線を配置したのち、電線を配置盤と押圧板との間に挟み、配置盤の貫通孔から接触針の先端を突出させて電線に接触させる。
【考案の効果】
【００１１】
本考案の検査治具及び検査装置によれば、各接触針及び各貫通孔を複数列に分けて配設し、隣接する配置溝に対応して設けられた接触針同士及び貫通孔同士を互いに異なる列に配置するようにしたので、電線の太さが細くても接触針を個別に対応して確実に接触させることができる。また、配置盤に貫通孔を設け、接触針を電線と接触させる際に先端が貫通孔から突出するようにしたので、配置溝に電線を確実に配置することができると共に、電線と接触針との位置ずれも小さくすることができ、確実に接触針を電線に接触させることができる。
【００１２】
特に、配置盤とコンタクト基板との間に弾性部材を備えるようにすれば、配置盤とコンタクト基板とを接近させる方向に押圧することにより、容易に各接触針を各貫通孔から突出させ、押圧を停止することにより、容易に各接触針を各貫通孔に退避させることができる。また、各電線に接触させた各接触針を容易に各電線から抜いて分離することができる。
【００１３】
更に、配置溝の長さ方向における固定テープの配置位置を決めるための位置決部を設けるようにすれば、各接触針を所定の領域に容易に突き刺すことができる。よって、例えば、固定テープのうち切り落とす領域を利用して容易に検査をすることができる。
【図面の簡単な説明】
【００１４】
【図１】本考案の一実施の形態に係る検査装置の概略構成を表す図である。
【図２】図１に示した検査装置で検査を行う電線束の一構成例を表わす図である。
【図３】図２に示したＩ−Ｉ線に沿った構造を拡大して表わす断面図である。
【図４】図１に示した検査治具の構成を表す断面図である。
【図５】図４に示したＩＩ−ＩＩ線に沿った構造を表わす断面図である。
【図６】図４に示したＩＩＩ−ＩＩＩ線に沿った構造を表わす断面図である。
【図７】図４に示した検査治具の動作を表す断面図である。
【図８】図７に続く検査治具の動作を表す断面図である。
【図９】図８に続く検査治具の動作を表す断面図である。
【考案を実施するための形態】
【００１５】
以下、本考案の実施の形態について、図面を参照して詳細に説明する。
【００１６】
図１は、本考案の一実施の形態に係る検査装置１の概略構成を表すものである。この検査装置１は、例えば、複数の電線１１を結束した電線束１０について通電検査を行うものであり、各電線１１の端部を配列して図示しないコネクタを接続する際に、各電線１１の混線及び断線を検査するために用いられる。この検査装置１は、例えば、各電線１１の端部に対して電気的に接続をするための検査治具２０と、この検査治具２０を介して電線束１０に通電して混断線を検出する通電検査部３０とを備えている。
【００１７】
図２は、検査装置１で検査を行う電線束１０の一構成例を表すものであり、図３は、図２に示したＩ−Ｉ線に沿った断面構造を拡大して表わすものである。この電線束１０は、例えば、複数の電線１１を被覆層１２で結束したものであり、各電線１１は、導体１１Ａの周りを絶縁層１１Ｂで覆った構造を有している。電線束１０の両端は、各電線１１が被覆層１２から露出され、図示しないコネクタを接続するために所定の順番に配列されて、例えば固定テープ１３により固定されている。固定テープ１３は、例えば、配列された電線１１の片面側に配設されている。電線１１の配列方向における固定テープ１３の幅は、電線１１の配列幅よりも広くなっており、固定テープ１３の幅方向における両端部には、配列された電線１１の両側から突出された突出部１３Ａがそれぞれ設けられている。
【００１８】
図４は、検査治具２０の構成を表すものであり、図５は、図４に示したＩＩ−ＩＩ線に沿った断面構造を表わすものであり、図６は、図４に示したＩＩＩ−ＩＩＩ線に沿った断面構造を表わすものである。なお、図４は、図５及び図６に示したＩＶ−ＩＶ線に沿った断面構造を表している。
【００１９】
この検査治具２０は、例えば図１に示したように、各電線１１の一方の端部を接続するための第１領域２０Ａと、各電線１１の他方の端部を接続するための第２領域２０Ｂと有している。第１領域２０Ａと第２領域２０Ｂとの構成は同一であり、例えば図４から図６に示したように、それぞれ、各電線１１を配置するための配置盤２１と、配置盤２１に配置された各電線１１を配置盤２１との間に挟んで押える押圧板２２と、各電線１１に対して個別に電気的に接続するためのコンタクト基板２３とを有している。第１領域２０Ａと第２領域２０Ｂとは連続して設けられていてもよいが、分離して設けられていてもよい。なお、図４から図６では、第１領域２０Ａを取り出して表している。
【００２０】
配置盤２１は、例えば、矩形の板状部材により構成されており、その一面には、各電線１１の端部を個別に配置するための複数の配置溝２１Ａが形成されている。各配置溝２１Ａは、例えば、それぞれ並列に密着して配設されている。配列盤２１には、また例えば、一面と対向する他面から各配置溝２１Ａに向かい、各配置溝２１Ａに個別に対応して複数の貫通孔２１Ｂがそれぞれ設けられている。各貫通孔２１Ｂは、例えば、複数列に分けて配置溝２１Ａの配列方向に配設されており、隣接する配置溝２１Ａに対応して設けられた貫通孔２１Ｂ同士は、互いに異なる列に配置されている。例えば、各貫通孔２１Ｂは、同一列におけるピッチを配置溝２１Ａのピッチの複数倍として、複数列に分けて配設されている。図５では、同一列における貫通孔２１Ｂのピッチを配置溝２１Ａのピッチの３倍とし、３列に分けて配設した例を示している。各貫通孔２１Ｂの中心位置は、例えば、対応する各配置溝２１Ａの中心線と一致するように設けられている。
【００２１】
押圧板２２は、例えば、配置盤２１の一面側に対向して配設されており、配置盤２１に対して相対的に接近及び離間することが可能とされている。具体的には、例えば、押圧板２２にはシリンダー等の駆動機構２４が配設されており、押圧板２２を配置盤２１に対して接近及び離間させることができるようになっている。押圧板２２は、例えば、矩形の板状部材により構成されている。押圧板２２の各配置溝２１Ａと対向する領域には、各配置溝２１Ａに個別に対応して溝が形成されていてもよいが、溝を形成せずに略平面状とされていることが好ましい。電線１１を押圧板２２と配列盤２１との間に挟んだ時に、押圧板２２と配列盤２１との位置ずれにより、電線１１の位置が配置溝２１Ａからずれてしまうことを防止するためである。
【００２２】
コンタクト基板２３は、例えば、配置盤２１に配置された各電線１１と個別に接触可能な複数の接触針２３Ａと、各接触針２３Ａが植設された基板２３Ｂとを有している。基板２３Ｂは、配置盤２１の他面側に間隔を開けて対向して配設されている。各接触針２３Ａは、基板２３Ｂの配置盤２１との対向面に、各貫通孔２１Ｂと個別に対応して配設されている。すなわち、各接触針２３Ａは、各貫通孔２１Ｂと同様に、例えば、複数列に分けて配置溝２１Ａの配列方向に配設されており、隣接する配置溝２１Ａに対応して設けられた接触針２３Ａ同士は、互いに異なる列に配置されている。
【００２３】
また、各接触針２３Ａは、固定テープ１３が貼られている領域内において、図示しないコネクタを接続する際に切り落とされる部分を刺すように配設されることが好ましい。より確実に各電線１１を刺すことができると共に、切り落とされた後は接触針２３Ａを刺した痕が残らず、検査痕により接触不良などの不良が発生する恐れがないからである。例えば、電線１１にコネクタを接続する際には、固定テープ１３の先端から４ｍｍから６ｍｍ程度内側の位置で電線１１の先端側が切り落とされるので、各接触針２３Ａは、配置溝２１Ａの長さ方向の幅Ｗが４ｍｍ以上６ｍｍ以下の領域内に配設されることが好ましい。
【００２４】
コンタクト基板２３は、各接触針２３Ａが各配置溝２１Ａに配置された各電線１１と個別に接触する際に、各接触針２３Ａが各貫通孔２１Ｂを貫通して先端が各貫通孔２１Ｂから突出するように配置盤２１に対して相対的に移動可能とされている。具体的には、例えば、基板２３Ｂを固定して、配置盤２１を基板２３Ｂに対してばね等の弾性部材２５を間に介して配設し、配置盤２１を押圧板２２で押圧することにより、配置盤２１を基板２３Ｂに対して接近させ、各接触針２３Ａを各貫通孔２１Ｂから突出させることができるようになっている。また、押圧板２２による押圧が停止されると、弾性部材２５により配置盤２１が基板２３Ｂから離間する方向に移動し、各接触針２３Ａが貫通孔２１Ｂに退避し収納されるようになっている。
【００２５】
各接触針２３Ａは、配置盤２１が押圧されておらず、配置盤２１と基板２３Ｂとが最も離れている状態の時に、先端が各貫通孔２１Ｂに挿入されていることが好ましい。接触針２３Ａと、貫通孔２１Ｂとの位置ずれを防止することができるからである。各接触針２３Ａには、例えば、コンタクトプローブが用いられる。各接触針２３Ａとしては、先端が長さ方向に伸縮可能とされたものが好ましく、例えば、基板２３Ｂに対して固定するための固定部と、この固定部に対して長さ方向に伸縮可能に配設された先端部とを有するものが好ましい。例えば、先端部は、ばね等の弾性部材により固定部に対して移動可能に配設される。このような接触針２３Ａを用いれば、摩耗等により各接触針２３Ａの先端位置にばらつきがあっても、全ての電線１１に対して確実に接触させることができるからである。
【００２６】
検査治具２０は、また、配置盤２１に各電線１１を配置する際に、各配置溝２１Ａの長さ方向における配置位置を決めるための位置決部２６を有している。位置決部２６は、例えば、配置盤２１に配設され、固定テープ１３の先端部分を係止する係止部２６Ａを有している。係止部２６Ａは、例えば、配列された配置溝２１Ａの両側において固定テープ１３の突出部１３Ａの先端部分を係止するように設けられており、固定テープ１３の配置位置を決めることにより各電線１１の配置位置を決めるようになっている。
【００２７】
位置決部２６は、例えば、各接触針２３Ａの刺さる位置が、固定テープ１３の貼られている領域内において、図示しないコネクタを接続する際に切り落とされる部分となるように、各電線１１の配設位置を決めることが好ましい。例えば、各接触針２３Ａの配設されている領域が、固定テープ１３の先端から４ｍｍから６ｍｍ内側までの領域内となるように、係止部２６Ａにより固定テープ１３の配設位置を決めることが好ましい。
【００２８】
この検査装置１では、例えば、次のようにして電線束１０の通電検査を行う。図７から図９は、検査工程における検査治具２０の動作を表すものである。なお、図７から図９においても、図４と同様に、第１領域２０Ａを取り出して表している。
【００２９】
まず、例えば、図７に示したように、押圧板２２を配置盤２１から離間させ、各接触針２３Ａの先端を各貫通孔２１Ｂに退避させた状態で、図２に示したコネクタを接続する前の電線束１０の両端部を配置盤２１の上に配置する。例えば、固定テープ１３を押圧板２２の側とし、各配置溝２１Ａに各電線１１を対応させ、固定テープ１３の突出部１３Ａの先端を係止部２６Ａに当接させて配置する。これにより、各電線１１は、固定テープ１３の貼られている領域内において、図示しないコネクタを接続する際に切り落とされる部分に、各接触針２３Ａが個別に対応して刺さるように配置される。また、その際、各接触針２３Ａの先端が各貫通孔２１Ｂから突出していないので、各電線１１は各配置溝２１Ａに対して容易かつ確実に配置される。
【００３０】
次いで、例えば、図８に示したように、駆動機構２４により押圧板２２を配置盤２１に接近するように移動させ、各電線１１を配置盤２１との間に挟む。続いて、例えば、図９に示したように、押圧板２２を駆動機構２４により配置盤２１を押す方向に更に移動させ、配置盤２１を押圧してコンタクト基板２３の方に移動させる。これにより、各接触針２３Ａの先端は、各貫通孔２１Ｂから突出して各電線１１を個別に刺し、各導体１１Ａに接触する。そののち、通電検査部３０により各電線１１に通電を行い、混断線を検出する。
【００３１】
通電検査が終了すると、駆動機構２４により押圧板２２を配置盤２１から離間させる方向に移動させる。配置盤２１は、押圧板２２からの押圧がなくなると、弾性部材２５により、コンタクト基板２３から離間する方向に復位する。これにより、各接触針２３Ａの先端は、各電線１１から容易に抜けて分離され、各貫通孔２１Ｂに退避して収納される。
【００３２】
このように本実施の形態によれば、各接触針２３Ａ及び各貫通孔２１Ｂを複数列に分けて配設し、隣接する配置溝２１Ａに対応して設けられた接触針２３Ａ同士及び貫通孔２１Ｂ同士を互いに異なる列に配置するようにしたので、電線１１の太さが細くても接触針２３Ａを個別に対応して確実に接触させることができる。また、配置盤２１に貫通孔２１Ｂを設け、接触針２３Ａを電線１１と接触させる際に先端が貫通孔２１Ｂから突出するようにしたので、配置溝２１Ａに電線１１を確実に配置することができると共に、電線１１と接触針２３Ａとの位置ずれも小さくすることができ、確実に接触針２３Ａを電線１１に接触させることができる。
【００３３】
特に、配置盤２１とコンタクト基板２３との間に弾性部材２５を備えるようにすれば、配置盤２１とコンタクト基板２３とを接近させる方向に押圧することにより、容易に各接触針２３Ａを各貫通孔２１Ｂから突出させ、押圧を停止することにより、容易に各接触針２３Ａを各貫通孔２１Ｂに退避させることができる。また、各電線１１に接触させた各接触針２３Ａを容易に各電線１１から抜いて分離することができる。
【００３４】
更に、配置溝２１Ａの長さ方向における固定テープ１３の配置位置を決めるための位置決部２６を設けるようにすれば、各接触針２３Ａを所定の領域に容易に突き刺すことができる。よって、例えば、固定テープ１３のうち切り落とす領域を利用して容易に検査をすることができる。
【００３５】
以上、実施の形態を挙げて本考案を説明したが、本考案は上記実施の形態に限定されるものではなく、種々変形可能である。例えば、上記実施の形態では、コンタクト基板２３を固定し、押圧板２２及び配置盤２１をコンタクト基板２３に対して移動させるようにしたが、押圧板２２を固定し、コンタクト基板２３と配置盤２１を同時に押圧板２２に対して移動させて図６又は図９の通りに制御してもよい。
【００３６】
更に、図５では、各接触針２３Ａ及び各貫通孔２１Ｂを３列に分けて配設する場合について示したが、２列または４列以上に分けて配設するようにしてもよい。
【００３７】
加えて、上記実施の形態では、各電線１１の一方の端部を接続する第１領域２０Ａと、他方の端部を接続する第２領域２０Ｂとを備える場合について説明したが、第１領域２０Ａ又は第２領域２０Ｂの１つを備えていればよい。
【産業上の利用可能性】
【００３８】
ワイヤーハーネスなどのケーブルの製造において、各電線の混断線を検査する際に用いることができる。
【符号の説明】
【００３９】
１…検査装置、１０…電線束、１１…電線、１１Ａ…導体、１１Ｂ…絶縁層、１２…被覆層、１３…固定テープ、１３Ａ…突出部、２０…検査治具、２０Ａ…第１領域、２０Ｂ…第２領域、２１…配置盤、２１Ａ…配置溝、２１Ｂ…貫通孔、２２…押圧板、２３…コンタクト基板、２３Ａ…接触針、２３Ｂ…基板、２４…駆動機構、２５…弾性部材、２６…位置決部、２６Ａ…係止部、３０…通電検査部
【図１】
0003158143.tif 000003
【図２】
0003158143.tif 000004
【図３】
0003158143.tif 000005
【図４】
0003158143.tif 000006
【図５】
0003158143.tif 000007
【図６】
0003158143.tif 000008
【図７】
0003158143.tif 000009
【図８】
0003158143.tif 000010
【図９】
0003158143.tif 000011